(57)【要約】【課題】フィルタ清掃運転が誤って停止される。【解決手段】本発明の空気調和機は、フィルタを清掃するフィルタ清掃運転が可能な空気調和機であって、フィルタ清掃運転を途中で停止させる停止操作を行うリモートコントローラを備え、リモートコントローラは、停止操作が行われたときに、フィルタ清掃運転を停止するかの注意を促す報知を行う。【選択図】図４
2016125710.tif 000002
【特許請求の範囲】
【請求項１】
フィルタを清掃するフィルタ清掃運転、室内機の内部を乾燥させる室内機乾燥運転、及び、室内温度及び室内湿度が所定範囲内にあるときに室内温度及び室内湿度の少なくとも１つを低下させる強制運転のいずれかの所定運転が可能な空気調和機であって、
前記所定運転を途中で停止させる停止操作を行うリモートコントローラを備え、
前記リモートコントローラは、停止操作が行われたときに、所定運転を停止するかの注意を促す報知を行うことを特徴とする空気調和機。
【請求項２】
前記リモートコントローラは、室内機から供給される信号に基づいて、前記所定運転が行われていることを検知することを特徴とする請求項１に記載の空気調和機。
【請求項３】
前記リモートコントローラは、表示部を有し、
所定運転を停止するかの注意を促す報知が前記表示部に表示されることを特徴とする請求項１または２に記載の空気調和機。
【請求項４】
所定運転を停止するかの注意を促す報知が音声で行われることを特徴とする請求項１−３のいずれかに記載の空気調和機。
【発明の詳細な説明】
【技術分野】
【０００１】
本発明は、例えばフィルタ清掃機構を備える空気調和機に関する。
【背景技術】
【０００２】
従来より、吸い込んだ室内空気中の塵埃が熱交換器へと流れないように、熱交換器よりも空気流れ上流側に塵埃を捕集するためのフィルタが配置された空気調和機がある。近年の空気調和機には、フィルタが捕集した塵埃をフィルタから除去するためのフィルタ清掃機構を備えるものがある。この空気調和機では、ユーザがフィルタを室内機から取り外してフィルタを清掃しなくても、フィルタ清掃機構によって自動的にフィルタを清掃できる。
【先行技術文献】
【特許文献】
【０００３】
【特許文献１】特許４８３２２７９号明細書
【発明の概要】
【発明が解決しようとする課題】
【０００４】
特許文献１の空気調和機のリモートコントローラは、空調運転を開始する開始ボタンと、空調運転を停止する停止ボタンとを有しており、フィルタ清掃運転が行われているときに、停止ボタンが押されるとフィルタ清掃運転が停止される。このように、特許文献１では、空調運転の停止ボタンが、フィルタ清掃運転の停止ボタンを併用している。したがって、フィルタ清掃運転が行われているときに、ユーザにより停止ボタンが誤って押されることによって、フィルタ清掃運転が停止される可能性がある。このように、フィルタ清掃運転が途中で停止された場合、塵埃をフィルタから十分に除去できない問題がある。
【０００５】
ところで、空気調和機では、冷房運転を行った場合、室内機の内部の熱交換器に水滴が付着した状態となり、その状態で冷房運転が停止されると、熱交換器においてカビが発生することがある。したがって、冷房運転が停止された後、室内機の内部の熱交換器を乾燥させるため、圧縮機を運転しない状態で室内ファンによる送風運転を行う室内機乾燥運転が行われることがある。この室内機乾燥運転においても、仮に、空調運転の停止ボタンが、室内機乾燥運転の停止ボタンを併用している場合、室内機乾燥運転が行われているときに、ユーザにより停止ボタンが誤って押されることによって、室内機乾燥運転が停止される可能性がある。このように、室内機乾燥運転が途中で停止された場合、室内機の内部の熱交換器を十分に乾燥させることができない問題がある。
【０００６】
また、空気調和機には、室内にいるユーザが熱中症になるのを防止するために、室内温度や室内湿度が高くなったときに、強制運転（冷房運転）を自動的に開始するものがある。この強制運転においても、仮に、空調運転の停止ボタンが、強制運転の停止ボタンを併用している場合、強制運転が行われているときに、ユーザにより停止ボタンが誤って押されることによって、強制運転が停止される可能性がある。このように、強制運転が途中で停止された場合、室内温度や室内湿度が高い状態が維持されることにより、室内にいるユーザが熱中症になるのを防止できない問題がある。
【０００７】
そこで、本発明の目的は、フィルタ清掃運転や室内機乾燥運転や室内温度・室内湿度を低下させる強制運転が誤って停止されるのを防止できる空気調和機を提供することにある。
【課題を解決するための手段】
【０００８】
第１の発明に係る空気調和機は、フィルタを清掃するフィルタ清掃運転、室内機の内部を乾燥させる室内機乾燥運転、及び、室内温度及び室内湿度が所定範囲内にあるときに室内温度及び室内湿度の少なくとも１つを低下させる強制運転のいずれかの所定運転が可能な空気調和機であって、前記所定運転を途中で停止させる停止操作を行うリモートコントローラを備え、前記リモートコントローラは、停止操作が行われたときに、所定運転を停止するかの注意を促す報知を行うことを特徴とする。
【０００９】
この空気調和機では、リモートコントローラが、所定運転を途中で停止させる停止操作が行われたときに、所定運転を停止するかの注意を促す報知を行うことにより、所定運転が誤って停止されるのを防止できる。
【００１０】
第２の発明に係る空気調和機は、第１の発明に係る空気調和機であって、前記リモートコントローラは、室内機から供給される信号に基づいて、前記所定運転が行われていることを検知することを特徴とする。
【００１１】
この空気調和機では、リモートコントローラが、室内機から供給される信号に基づいて、所定運転が行われていることを検知できる。
【００１２】
第３の発明に係る空気調和機は、第１または第２の発明に係る空気調和機であって、前記リモートコントローラは、表示部を有し、所定運転を停止するかの注意を促す報知が前記表示部に表示される。
【００１３】
この空気調和機では、所定運転を停止するかの注意を促す報知が表示部に表示されることにより、ユーザは、その報知を容易に知ることができる。
【００１４】
第４の発明に係る空気調和機は、第１−第３の発明のいずれかに係る空気調和機であって、所定運転を停止するかの注意を促す報知が音声で行われることを特徴とする。
【００１５】
この空気調和機では、所定運転を停止するかの注意を促す報知が音声で報知されることにより、ユーザは、その報知を容易に知ることができる。
【発明の効果】
【００１６】
第１の発明では、リモートコントローラが、所定運転を途中で停止させる停止操作が行われたときに、所定運転を停止するかの注意を促す報知を行うことにより、所定運転が誤って停止されるのを防止できる。
第２の発明では、リモートコントローラが、室内機から供給される信号に基づいて、所定運転が行われていることを検知できる。
第３の発明では、所定運転を停止するかの注意を促す報知が表示部に表示されることにより、ユーザは、その報知を容易に知ることができる。
第４の発明では、所定運転を停止するかの注意を促す報知が音声で報知されることにより、ユーザは、その報知を容易に知ることができる。
【図面の簡単な説明】
【００１７】
【図１】本発明の実施形態にかかる空気調和機の外観図である。
【図２】図１の空気調和機の断面図である。
【図３】図１の空気調和機におけるフィルタ清掃運転時の動作を説明する図である。
【図４】図１の空気調和機におけるリモートコントローラを説明する図である。
【図５】フィルタ清掃運転時を途中で停止させる操作が行われたときの動作を説明する図である。
【発明を実施するための形態】
【００１８】
以下、図面を参照しながら、本発明の実施形態に係る空気調和機１について説明する。なお、以下の実施形態は、本発明の具体例であって、本発明の技術的範囲を限定するものではない。
【００１９】
図１は、本発明の実施形態に係る空気調和機１の外観図であり、図２は、空気調和機１の断面図である。この空気調和機１は、室内の壁面に取り付けられる壁掛け型の室内機である。空気調和機１は、室外に配置される室外機（図示しない）と冷媒配管を介して接続されて空気調和機を構成しており、室内の冷房運転及び暖房運転を含む通常運転に加えて、フィルタを自動で清掃するフィルタ清掃運転を行うことができる。空気調和機１は、リモートコントローラ（以下、コントローラ）６０に対する操作に基づいて制御される。
【００２０】
空気調和機１は、図１、図２に示すように、主として、本体ケーシング１１、フィルタ１２と、室内熱交換器１３、室内ファン１４とを備えている。本体ケーシング１１は、空気調和機１の外郭を構成する部材であって、内部にフィルタ１２、室内熱交換器１３、室内ファン１４を収納している。本体ケーシング１１の上部には、本体ケーシング１１内に室内の空気を吸い込むための吸込口１７が設けられており、本体ケーシング１１の内部には、フィルタ清掃機構２０が配置される。
【００２１】
室内熱交換器１３は、通過する空気との間で熱交換を行う。室内熱交換器１３は、側面視において両端が下方に向いて屈曲する逆Ｖ字状の形状を成し、その下方に室内ファン１４が位置する。室内ファン１４は、クロスフローファンであり、室内から吸込口１７を介して本体ケーシング１１内に取り込んだ空気を、室内熱交換器１３を通過させた後、本体ケーシング１１内から室内に吹き出す空気流れを形成する。
【００２２】
フィルタ１２は、吸込口１７に対向するとともに、室内熱交換器１３を覆うように配置されている。したがって、フィルタ１２は、吸込口１７を介して室内熱交換器１３に向かって流入してくる吸込空気に含まれる塵埃を捕集する。
【００２３】
フィルタ清掃機構２０は、フィルタ１２を自動的に清掃するフィルタ清掃運転を実行するための機構である。フィルタ清掃機構２０は、フィルタ１２から塵埃を除去するブラシ２１と、ブラシ２１から除去された塵埃を溜めるダストボックス２５とを有している。フィルタ１２は、その両端が軸３１と軸３２のそれぞれに巻回されており、軸３１は第１モータ（図示しない）に回転駆動され、軸３２は第２モータ（図示しない）により回転駆動される。
【００２４】
本実施形態の空気調和機１では、図３（ａ）に示すように、フィルタ１２における吸込口１７と対向しない部分のほとんどが軸３１の周囲に巻回された状態で通常運転が行われる。したがって、フィルタ清掃機構２０は、フィルタ清掃運転を実行するとき、図３（ｂ）に示すように、軸３１の周囲に巻回されたフィルタ１２を軸３２に向かって移動させる。このとき、フィルタ１２に接触するブラシ２１により、フィルタ１２から塵埃が除去される。フィルタ清掃運転が行われると、図３（ｃ）に示すように、フィルタ１２における吸込口１７と対向しない部分のほとんどが軸３２の周囲に巻回された状態となる。したがって、フィルタ清掃運転が終了すると、軸３２の周囲に巻回されたフィルタを軸３１に向かって移動させる。
【００２５】
コントローラ６０について、図４を参照しつつ説明する。コントローラ６０は、コントローラ本体６１と、コントローラ本体６１に対し開閉可能に構成された蓋部６２とを有している。コントローラ本体６１の表面には、表示部６３と、運転停止ボタン６４とが配置される。蓋部６２の表面には、冷房、暖房、除湿及び送風のいずれかの運転を選択する運転選択ボタン６５と、設定温度を変更する温度調整ボタン６６と、設定湿度を変更する湿度調整ボタン６７とを配置される。蓋部６２は、その下端を支点として、コントローラ本体６１に対し開閉可能に構成される。
【００２６】
図４（ｂ）に示すように、コントローラ６０の蓋部６２を開いた状態では、コントローラ本体６１における蓋部６２により隠れていた部分には、複数のボタンが配置される。その複数のボタンには、フィルタ清掃運転を手動により開始するフィルタ清掃開始ボタン６８が含まれる。本実施形態の空気調和機１では、フィルタ清掃運転は、例えば、ユーザによってフィルタ清掃開始ボタン６８が操作されることにより開始される場合と、空調運転が長時間行われた後において、空調運転が停止されたときに自動的に開始される場合がある。
【００２７】
したがって、ユーザは、運転選択ボタン６５を操作することにより、冷房、暖房、除湿及び送風のいずれかの運転を開始し、これらの運転を停止させるときは、運転停止ボタン６４を操作する。また、ユーザは、フィルタ清掃運転が行われているときに、フィルタ清掃運転の途中で停止させるためには、運転停止ボタン６４を操作することにより、フィルタ清掃運転の途中で停止させることができる。このように、運転停止ボタン６４は、冷房や暖房等の運転を停止させる停止ボタンと、フィルタ清掃運転を途中で停止させる停止ボタンとを併用している。
【００２８】
本実施形態の空気調和機１である室内機と、コントローラ６０との間において、信号を双方向に供給可能に構成される。したがって、フィルタ清掃運転が、ユーザによってフィルタ清掃開始ボタン６８が操作されることにより開始された場合、コントローラ６０は、フィルタ清掃開始ボタン６８の操作によってフィルタ清掃運転が行われていることを検知する。フィルタ清掃運転が、空調運転が長時間行われた後において、空調運転が停止されたときに自動的に開始された場合、コントローラ６０は、空気調和機１である室内機から供給される信号に基づいてフィルタ清掃運転が行われていることを検知する。このように、フィルタ清掃運転が自動的に開始された場合、室内機はコントローラ６０に対し、フィルタ清掃運転が行われていることを示す信号を供給する。よって、コントローラ６０は、フィルタ清掃運転が行われていることを検知している。
【００２９】
フィルタ清掃運転を途中で停止させる操作が行われたときの動作について、図５に基づいて説明する。フィルタ清掃運転が行われている状態において（ステップＳ１）、運転停止ボタン６４が操作されたか否かが判断される（ステップＳ２）。運転停止ボタン６４が操作されたと判断された場合（Ｓ２：ＹＥＳ）、図４（ｃ）に示すように、フィルタ清掃運転を停止するかの注意を促す内容が表示部６３に表示される（ステップＳ３）。その後、注意を促す内容を見たユーザにより、運転停止ボタンが操作されたか否かを判断する（ステップＳ４）。運転停止ボタン６４が操作されたと判断された場合（Ｓ４：ＹＥＳ）、フィルタ清掃運転を停止する。（ステップＳ５）。運転停止ボタン６４が操作されない状態で所定時間が経過したか否かが繰り返し判断される（ステップＳ６）。所定時間が経過したと判断された場合（Ｓ６：ＹＥＳ）、フィルタ清掃運転を停止するかの注意を促す内容が表示部６３に表示されなくなり（ステップＳ７）、ステップＳ１に移行し、フィルタ清掃運転が継続される。
【００３０】
［本実施形態の空気調和機の特徴］
本実施形態の空気調和機１では、フィルタ清掃運転が行われているときに、ユーザによって運転停止ボタン５８が操作されることにより、フィルタ清掃運転を途中で停止させる停止操作が行われたときに、コントローラ６０は、フィルタ清掃運転を停止するかの注意を促す報知を行うことにより、ユーザは、注意を促す報知を見た後で、運転停止ボタン６８を操作しなければフィルタ清掃運転を停止することができない。よって、フィルタ清掃運転が誤って停止されるのを防止できる。
【００３１】
本実施形態の空気調和機１では、コントローラ６０が、室内機から供給される信号に基づいて、フィルタ清掃運転が行われていることを検知できる。
【００３２】
本実施形態の空気調和機１では、フィルタ清掃運転を停止するかの注意を促す報知が表示部６３に表示されることにより、ユーザは、その報知を容易に知ることができる。
【００３３】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００３４】
上述の実施形態では、フィルタ清掃運転が途中で停止させる操作が行われたときに、フィルタ清掃運転を停止するかの注意を促す報知が表示部６３に表示される場合を説明したが、フィルタ清掃運転を停止するかの注意を促す報知は、空気調和機またはコントローラから音声で報知されてよい。
【００３５】
上述の実施形態では、フィルタ清掃運転が途中で停止される操作について説明したが、室内機の内部を乾燥させる室内機乾燥運転を途中で停止させる操作についても同様である。室内機乾燥運転は、例えば、室内機の内部の熱交換器を乾燥させるため、圧縮機を運転しない状態で室内ファンによる送風運転を行う運転である。室内機乾燥運転は、例えば、ユーザによって室内機乾燥運転開始ボタンが操作されることにより開始される場合と、冷房運転が停止されたときに自動的に開始される場合がある。また、室内温度や室内湿度が高くなったときに自動的に開始される強制運転（冷房運転）を途中で停止させる操作についても同様である。
【産業上の利用可能性】
【００３６】
本発明を利用すれば、フィルタ清掃運転や室内機乾燥運転が誤って停止されるのを防止できる。
【符号の説明】
【００３７】
１  空気調和機
１２  フィルタ
６０  リモートコントローラ
６３  表示部
【図１】
2016125710.tif 000003
【図２】
2016125710.tif 000004
【図３】
2016125710.tif 000005
【図４】
2016125710.tif 000006
【図５】
2016125710.tif 000007